(57)【特許請求の範囲】
【請求項１】
基礎部（２Ａ）と、壁部（２Ｂ）と、壁部内に下方から上方に向け順に設けられた１階床（２Ｃ）と１階天井（２Ｄ）で構成された１階居室（２Ｅ）と、１階天井（２Ｄ）と２階床（２Ｆ）で構成された階間（２Ｇ）と、２階床（２Ｆ）と２階天井（２Ｈ）で構成された２階居室（２Ｉ）と、２階天井（２Ｈ）と屋根（２Ｊ）で構成された小屋裏（２Ｋ）からなる建築物（２２）と、当該建築物に配設された換気装置（２Ｌ）から構成され、
基礎部（２Ａ）は、外周布基礎部（２Ａ１）と、外周布基礎部内に形成されたベタ基礎（２Ａ２）と、ベタ基礎の上面に配設された内部布基礎（２Ａ３）から構成され、内部布基礎（２Ａ３）には通気用開口部（２Ａ３１、２Ａ３１．．）が形成され、
１階居室（２Ｅ）の１階床（２Ｃ）における壁部（２Ｂ）への近傍位置には温風吹出し口（２Ｃ１）が所定間隔で開設され、基礎部（２Ａ）内には温風吹出し口に対応する位置をもって第１ヒーター（２Ｃ２）が配設連通され、また、基礎部（２Ａ）内の所定箇所には第２ヒーター（２Ｃ３）が配設され、
２階床（２Ｆ）における壁部（２Ｂ）への近傍位置には温風吹出し口（２Ｆ１）が所定間隔で開設され、階間（２Ｇ）には該２階居室（２Ｉ）の床面に開口した温風吹出し口に対応する位置をもって放熱器床下設置パン（２Ｆ２、２Ｆ２．．）が配設連通され、
換気装置（２Ｌ）は、階間（２Ｇ）には熱交換器（２Ｌ１）が設置され、熱交換器への新鮮空気導入パイプ（２Ｌ２）は外気と連通するよう構成され、熱交換器からの汚染空気排出パイプ（２Ｌ３）は外気と連通するよう構成され、熱交換器からの加温新鮮空気導入第１パイプ（２Ｌ４）は、基礎部（２Ａ）内の所定位置に配設された第２ヒーター（２Ｃ３）に連通され、下端が基礎部（２Ａ）内に開口されている加温新鮮空気導入第２パイプ（２Ｌ５）の上端は階間（２Ｇ）に引込まれ、第１配管集合部（２Ｌ５１）を介して各放熱器床下設置パン（２Ｆ２）におけるケース（２Ｆ３）に連結され、
第１ヒーター（２Ｃ２）と、第２ヒーター（２Ｃ３）と、放熱器床下設置パン（２Ｆ２）における放熱器（２Ｆ４）は、建築物（２２）内の所望する箇所に配設されたボイラ（Ｂ）に連結され、
１階居室（２Ｅ）における１階天井（２Ｄ）に連通された汚染空気排出第１パイプ（２Ｌ７、２Ｌ７．．）は第２配管集合部（２Ｌ７１）を介して、また、２階居室（２Ｉ）における２階天井（２Ｈ）に連通された汚染空気排出第２パイプ（２Ｌ８、２Ｌ８．．）は第３配管集合部（２Ｌ８１）を介して、熱交換器における汚染空気排出第１パイプ（２Ｌ３）に連結されていることを特徴とする建築物における暖房作用を有する換気システム。
【請求項２】
第１ヒーター（２Ｃ２）に代えて、ベタ基礎内に架橋ポリエチレンパイプなどの暖房用パイプ（Ｐ１）を敷設埋設するか、ベタ基礎の上面に架橋ポリエチレンパイプなどの暖房用パイプ（Ｐ２）を敷設して、温水を循環させベタ基礎を暖めるよう構成された請求項１記載の建築物における暖房作用を有する換気システム。
【請求項３】
放熱器床下設置パン（２Ｆ２）は、ケース（２Ｆ３）と放熱器（２Ｆ４）とガラリ（２Ｆ５）から構成され、ケース（２Ｆ３）は、平面長方形の底面（２Ｆ３１）と底面の外周に上方に向け連設された側壁（２Ｆ３２）から構成され、放熱器（２Ｆ４）は、湯往きパイプ（２Ｆ４１）と湯還りパイプ（２Ｆ４２）と放熱板（２Ｆ４３）から構成され、ガラリ（２Ｆ５）は、床面に開口された温風吹出し口に嵌込まれ、ケース（２Ｆ３）を床面の下面に吊下げるように取付けるか、床面の下方に設置して取付けるよう構成されている請求項１あるいは請求項２記載の建築物における暖房作用を有する換気システム。
【請求項４】
ベタ基礎の上面には炭が充填された適数個の炭マットが配設されている請求項１ないし請求項３のいずれかに記載の建築物における暖房作用を有する換気システム。
【発明の詳細な説明】
【０００１】
【発明の属する技術分野】
本発明は、新規な構成を有する建築物における暖房作用を有する換気システムに関するものである。
【０００２】
【従来の技術】
従来のこの種の技術は、下記のような構成となっている。
１．直接外気取入型換気システムの場合
換気システム本体を階間または屋根裏に取付け、各室や必要個所の天井または壁、床に排気グリルを取付けダクト配管し、汚れた室内空気を戸外へ排出し、外壁に取付けた給気グリルより外の新鮮な空気を取入れ換気している。
この場合、換気システム本体をボイラー室、ユーティリティー等の室内に取付ける場合もある。
２．熱交換型換気システムの場合
排気グリルを必要個所の天井または壁、床に取付けダクト配管し、給気グリルを各室または必要個所の天井または壁、床に取付けダクト配管し、階間または屋根裏に取付けた熱交換器本体で熱交換して換気している。
この場合、熱交換器本体を各階ごとに設置する場合、ボイラー室、ユーティリティー等の室内に取付ける場合もある。
３．床下の換気について
床下の換気については基礎工法にもよるが、一般的に外周布基礎に床下換気口を取付け、内部布基礎に通気または床下メンテナンス用の人通口を設け自然換気による換気を行っている。
４．セントラルヒーティングについて
放熱器は室内床または壁取付の室内露出型で、特に２階以上階での放熱器取付はほぼ１００％露出取付である。
【０００３】
【発明が解決しようとする課題】
従来の技術で述べたものにあっては、下記のような問題点を有していた。
１．換気について
近年、住宅また建物においての高断熱、高気密化により換気システムによる換気が必要不可欠になっているが、その換気方法は大きく分けて直接外気取入型と熱交換型の二通りがある。
Ａ．直接外気取入型の場合
外気を直接給気するので冬期間など外気温が低い場合、低温の給気温と室温との温度差による室内の温度むらが生じている。これは快適性を低下させる。
また、直接外気を室内に給気するため、暖房室内の熱損失が大きく暖房費が増加してしまう。
Ｂ．熱交換型の場合
熱交換型換気システムにおいても熱交換後の給気温は室温よりかなりその温度が下がるため、温度むらまた快適性の低下につながっている。
Ｃ．従来の換気システムについてのまとめ
換気システムの冬期間における低温の給気温と室温との温度差が問題となる。
すなわち、室温に対して給気温が低いため、給気口付近の温度と汚れた室内空気排出の排出口付近の温度にかなりの温度差ができることにより、室内全体に温度むらができる結果、快適性の低下、また、給気口の取付場所によっては結露の発生の原因にもなっている。
２．床下換気について
布基礎外周に取付けた床下換気口と、内部布基礎に設けた通気口で自然換気による換気を行っているが、住宅強度向上のため小スパンでの布基礎敷設が多くなり、通気口を設けるが自然換気だけの換気では十分な換気ができないため多湿な空気の淀みが生じ、土台、大引など床下木部の腐食、また、床下断熱材の性能低下の原因になっている。
３．セントラルヒーティングに関して
セントラル放熱器は床または壁取付の室内露出型がほとんどで、取付のための室内スペースの確保、また美観性を損ねるなどの問題がある。
また、従来の室内取付型セントラル放熱器の場合、放熱フィン上部に火傷防止の格子、グリルなどがあるため、フィン内部およびフィン上部に溜ったごみ、ほこりなどの清掃が難儀であった。
【０００４】
本発明は、従来の技術の有するこのような問題点に鑑みなされたものであり、その目的とするところは、上述の問題を解決できるものを提供しようとするものである。
【０００７】
【課題を解決するための手段】
上記目的を達成するために、本発明は下記のようになるものである。
請求項１記載の発明は、基礎部２Ａと、壁部２Ｂと、壁部内に下方から上方に向け順に設けられた１階床２Ｃと１階天井２Ｄで構成された１階居室２Ｅと、１階天井２Ｄと２階床２Ｆで構成された階間２Ｇと、２階床２Ｆと２階天井２Ｈで構成された２階居室２Ｉと、２階天井２Ｈと屋根２Ｊで構成された小屋裏２Ｋからなる建築物２２と、当該建築物に配設された換気装置２Ｌから構成され、
Ａ．基礎部２Ａは、外周布基礎部２Ａ１と、外周布基礎部内に形成されたベタ基礎２Ａ２と、ベタ基礎の上面に配設された内部布基礎２Ａ３から構成され、内部布基礎２Ａ３には通気用開口部２Ａ３１、２Ａ３１．．が形成され、
Ｂ．１階居室２Ｅの１階床２Ｃにおける壁部２Ｂへの近傍位置には温風吹出し口２Ｃ１が所定間隔で開設され、基礎部２Ａ内には温風吹出し口に対応する位置をもって第１ヒーター２Ｃ２が配設連通され、また、基礎部２Ａ内の所定箇所には第２ヒーター２Ｃ３が配設され、
Ｃ．２階床２Ｆにおける壁部２Ｂへの近傍位置には温風吹出し口２Ｆ１が所定間隔で開設され、階間２Ｇには該２階居室２Ｉの床面に開口した温風吹出し口に対応する位置をもって放熱器床下設置パン２Ｆ２、２Ｆ２．．が配設連通され、
Ｄ．換気装置２Ｌは、階間２Ｇには熱交換器２Ｌ１が設置され、熱交換器への新鮮空気導入パイプ２Ｌ２は外気と連通するよう構成され、熱交換器からの汚染空気排出パイプ２Ｌ３は外気と連通するよう構成され、熱交換器からの加温新鮮空気導入第１パイプ２Ｌ４は、基礎部２Ａ内の所定位置に配設された第２ヒーター２Ｃ３に連通され、下端が基礎部２Ａ内に開口されている加温新鮮空気導入第２パイプ２Ｌ５の上端は階間２Ｇに引込まれ、第１配管集合部２Ｌ５１を介して各放熱器床下設置パン２Ｆ２におけるケース２Ｆ３に連結され、
Ｅ．第１ヒーター２Ｃ２と、第２ヒーター２Ｃ３と、放熱器床下設置パン２Ｆ２における放熱器２Ｆ４は、建築物２２内の所望する箇所に配設されたボイラＢに連結され、
Ｆ．１階居室２Ｅにおける１階天井２Ｄに連通された汚染空気排出第１パイプ２Ｌ７、２Ｌ７．．は第２配管集合部２Ｌ７１を介して、また、２階居室２Ｉにおける２階天井２Ｈに連通された汚染空気排出第２パイプ２Ｌ８、２Ｌ８．．は第３配管集合部２Ｌ８１を介して、熱交換器における汚染空気排出第１パイプ２Ｌ３に連結されていることを特徴とするものである。
【０００８】
請求項２記載の発明は、請求項１記載の発明において、第１ヒーター２Ｃ２に代えて、ベタ基礎内に架橋ポリエチレンパイプなどの暖房用パイプＰ１を敷設埋設するか、ベタ基礎の上面に架橋ポリエチレンパイプなどの暖房用パイプＰ２を敷設して、温水を循環させベタ基礎を暖めるよう構成されたことを特徴とするものである。
【０００９】
請求項３記載の発明は、請求項１あるいは請求項２記載の発明において、放熱器床下設置パン２Ｆ２は、ケース２Ｆ３と放熱器２Ｆ４とガラリ２Ｆ５から構成され、ケース２Ｆ３は、平面長方形の底面２Ｆ３１と底面の外周に上方に向け連設された側壁２Ｆ３２から構成され、放熱器２Ｆ４は、湯往きパイプ２Ｆ４１と湯還りパイプ２Ｆ４２と放熱板２Ｆ４３から構成され、ガラリ２Ｆ５は、床面に開口された温風吹出し口に嵌込まれ、ケース２Ｆ３を床面の下面に吊下げるように取付けるか、床面の下方に設置して取付けるよう構成されていることを特徴とするものである。
【００１０】
請求項４記載の発明は、請求項１ないし請求項３のいずれかに記載の発明において、ベタ基礎の上面には炭が充填された適数個の炭マットが配設されていることを特徴とするものである。
【００１１】
【発明の実施の形態】
以下、本発明の実施の形態を実施例にもとづき図面を参照して説明する。
１は第１発明の建築物における暖房作用を有する換気システムである。
その構成は下記の通りである。
基礎部１Ａと、壁部１Ｂと、壁部内に下方から上方に向け順に設けられた１階床１Ｃと１階天井１Ｄで構成された１階居室１Ｅと、１階天井１Ｄと屋根１Ｆで構成された小屋裏１Ｇからなる建築物１１と、当該建築物に配設された換気装置１Ｈから構成されている。
【００１２】
Ａ．基礎部１Ａは、外周布基礎部１Ａ１と、外周布基礎部内に形成されたベタ基礎１Ａ２と、ベタ基礎の上面に配設された内部布基礎１Ａ３から構成されている。
１Ａ２１は砂利層、１Ａ２２は断熱材で構成された層である。
内部布基礎１Ａ３には通気用開口部１Ａ３１、１Ａ３１．．が形成されている。
１階居室１Ｅの１階床１Ｃにおける壁部１Ｂへの近傍位置には温風吹出し口１Ｃ１が所定間隔で開設され、基礎部１Ａ内には温風吹出し口に対応する位置をもって第１ヒーター１Ｃ２が配設連通されている。
また、基礎部１Ａ内の所定箇所には第２ヒーター１Ｃ３が配設されている。
さらに、ベタ基礎の上面には必要に応じて炭が充填された炭マット１Ａ４、１Ａ４．．が配設されている。
炭マットは、通気性を有する袋内に木炭片を充填して構成されている。
【００１３】
Ｂ．換気装置１Ｈは下記のように構成されている。
小屋裏１Ｇに熱交換器１Ｈ１が設置され、熱交換器への新鮮空気導入パイプ１Ｈ２は外気と連通するよう構成され、熱交換器からの汚染空気排出パイプ１Ｈ３は外気と連通するよう構成され、熱交換器からの加温新鮮空気導入パイプ１Ｈ４は、基礎部１Ａ内の所定位置に配設された第２ヒーター１Ｃ３に連通され、１階居室１Ｅにおける１階天井１Ｄに連通された汚染空気吸引パイプ１Ｈ５は配管集合部１Ｈ５１を介して熱交換器に連結されている。
【００１４】
図５を参照して、第１ヒーター１Ｃ２と、第２ヒーター１Ｃ３は、建築物１１内の所望する箇所に配設された公知のボイラＢに連結されている。
なお、Ｂ１は分配器である。
【００１５】
２は第２発明の建築物における暖房作用を有する換気システムである。
その構成は下記の通りである。
基礎部２Ａと、壁部２Ｂと、壁部内に下方から上方に向け順に設けられた１階床２Ｃと１階天井２Ｄで構成された１階居室２Ｅと、１階天井２Ｄと２階床２Ｆで構成された階間２Ｇと、２階床２Ｆと２階天井２Ｈで構成された２階居室２Ｉと、２階天井２Ｈと屋根２Ｊで構成された小屋裏２Ｋからなる建築物２２と、当該建築物に配設された換気装置２Ｌから構成されている。
【００１６】
Ａ．基礎部２Ａは、外周布基礎部２Ａ１と、外周布基礎部内に形成されたベタ基礎２Ａ２と、ベタ基礎の上面に配設された内部布基礎２Ａ３から構成されている。
２Ａ２１は砂利層、２Ａ２２は断熱材で構成された層である。
内部布基礎２Ａ３には通気用開口部２Ａ３１、２Ａ３１．．が形成されている。
また、ベタ基礎の上面に必要に応じて炭が充填された炭マット２Ａ４、２Ａ４．．が配設されている。
炭マットは、通気性を有する袋内に木炭片を充填して構成されている。
【００１７】
Ｂ．１階居室２Ｅの１階床２Ｃにおける壁部２Ｂへの近傍位置には温風吹出し口２Ｃ１が所定間隔で開設され、基礎部２Ａ内には温風吹出し口に対応する位置をもって第１ヒーター２Ｃ２が配設連通されている。
また、基礎部２Ａ内の所定箇所には第２ヒーター２Ｃ３が配設されている。
Ｃ．２階床２Ｆにおける壁部２Ｂへの近傍位置には温風吹出し口２Ｆ１が所定間隔で開設され、階間２Ｇには温風吹出し口に対応する位置をもって放熱器床下設置パン２Ｆ２、２Ｆ２．．が配設連通されている。
【００１８】
Ｄ．図１２ないし図１５を参照して、放熱器床下設置パン２Ｆ２は、ケース２Ｆ３と放熱器２Ｆ４とガラリ２Ｆ５から構成されている。
ａ．ケース２Ｆ３は、平面長方形の底面２Ｆ３１と底面の外周に上方に向け連設された側壁２Ｆ３２から構成されている。
ｂ．放熱器２Ｆ４は、湯往きパイプ２Ｆ４１と湯還りパイプ２Ｆ４２と放熱板２Ｆ４３から構成されている。
ｃ．ガラリ２Ｆ５は、床面に開口された温風吹出し口に嵌込まれている。
ｅ．この場合、図１２、図１３のように、ケース２Ｆ３を床面の下面に吊下げるように取付けても、また、図１４、図１５のように床面の下方に設置して取付けてもよい。
【００１９】
Ｅ．換気装置２Ｌは下記のように構成されている。
階間２Ｇには熱交換器２Ｌ１が設置され、熱交換器への新鮮空気導入パイプ２Ｌ２は外気と連通するよう構成され、熱交換器からの汚染空気排出パイプ２Ｌ３は外気と連通するよう構成され、熱交換器からの加温新鮮空気導入第１パイプ２Ｌ４は、基礎部２Ａ内の所定位置に配設された第２ヒーター２Ｃ３に連通され、下端が基礎部２Ａ内に開口されている加温新鮮空気導入第２パイプ２Ｌ５の上端は階間２Ｇに引込まれ、第１配管集合部２Ｌ５１を介して各放熱器床下設置パン２Ｆ２におけるケース２Ｆ３に連結されている。
すなわち、放熱器床下設置パン２Ｆ２のケース２Ｆ３内に加温新鮮空気が導入されることになる。
【００２０】
Ｆ．図１６を参照して、第１ヒーター２Ｃ２と、第２ヒーター２Ｃ３と、放熱器床下設置パン２Ｆ２における放熱器２Ｆ４は、建築物２２内の所望する箇所に配設された公知のボイラＢに連結されている。
なお、Ｂ１は分配器である。
【００２１】
Ｇ．一方、１階居室２Ｅにおける１階天井２Ｄに連通された汚染空気排出第１パイプ２Ｌ７、２Ｌ７．．は第２配管集合部２Ｌ７１を介して、また、２階居室２Ｉにおける２階天井２Ｈに連通された汚染空気排出第２パイプ２Ｌ８、２Ｌ８．．は第３配管集合部２Ｌ８１を介して、熱交換器における汚染空気排出第１パイプ２Ｌ３に連結されている。
【００２２】
Ａ．炭マット１Ａ４、２Ａ４の使用の効果は、下記の通りである。
ａ．湿度安定効果
木炭は多数の微細空隙（多孔質）があるため、湿度が高い時は湿気を吸収し、外気が乾燥すると湿気を吐出すと云う調湿性を有する。
ｂ．脱臭効果
木炭はその性質上、周知の脱臭効果が高く、その強い吸着作用により建築に使用される。新建材や接着剤、有機溶剤から出るガスや、いやな匂いを吸着、脱臭するなどの効果がある。
ｃ．遠赤外線効果
木炭のもつ遠赤外線放出性により防菌効果、防腐・防錆作用などがある。
ｄ．マイナスイオン効果
マイナスイオンが生成放出されるので細胞や自律神経を活性化し、新陳代謝を促進し、大脳を刺激して快適感をもたらし、大脳疲労・体の蓄積疲労を抑制し、血圧・脈拍の上昇を安定させるなどの効果がある。
【００２３】
Ｂ．第１発明の建築物における暖房作用を有する換気システム１における第１ヒーター１Ｃ２に代えて、下記のように構成することができる。
図１７、図１８、図１９を参照して、ベタ基礎１Ａ２内に架橋ポリエチレンパイプなどの暖房用パイプＰ１を敷設埋設し、温水を循環させベタ基礎を暖め、その輻射熱を利用した暖房とする。
図２０、図２１、図２２を参照して、ベタ基礎１Ａ２の上面に架橋ポリエチレンパイプなどの暖房用パイプＰ２を敷設し、温水を循環させベタ基礎を暖め、その輻射熱を利用した暖房とする。
【００２４】
Ｃ．第２発明の建築物における暖房作用を有する換気システム２における第１ヒーター２Ｃ２に代えて、下記のように構成することができる。
図２３、図２４、図２５を参照して、ベタ基礎２Ａ２内に架橋ポリエチレンパイプなどの暖房用パイプＰ１を敷設埋設し、温水を循環させベタ基礎を暖め、その輻射熱を利用した暖房とする。
図２６、図２７、図２８を参照して、ベタ基礎２Ａ２の上面に架橋ポリエチレンパイプなどの暖房用パイプＰ２を敷設し、温水を循環させベタ基礎を暖め、その輻射熱を利用した暖房とする。
Ｄ．図中、第１発明、第２発明において、ＰＳは床下と小屋裏とを連通する縦パイプ状スペースである。
【００２５】
Ｅ．熱交換器１Ｈ１、熱交換器２Ｌ１としては、例えば下記のものが好適であった。
「熱交換ユニット天井埋込み型ＺＤ６・ＤＭ２シリーズ、品番ＦＹ−３５０ＺＤ６」（ナショナル電器産業株式会社・松下精工株式会社）
Ｆ．ガラリの下面に暖房効率、空調効率に支障のないネットを張ることにより、ごみ、ほこりなどの侵入を防ぎ清掃作業を容易なものとすることができる。
【００２６】
【発明の効果】
本発明は、上述の通り構成されているので次に記載する効果を奏する。
１．第１ヒーター２Ｃ２と第２ヒーター２Ｃ３を基礎内である１階床下、また、２階以上階も放熱器床下設置パンを取付け床下に設置することにより
Ａ．室内を広く使える。
すなわち、本発明においては、従来の室内取付型セントラル放熱器のような突起物がなく床面に取付けた床ガラリ部より暖房および給気を取入れるため、床ガラリ部分に家具などを置き塞ぐことはできないが、暖房効率、空調効率に支障のない程度のものを置くことができる。
Ｂ．床または壁からの露出、突起物をなくすことにより室内空間の美観性の向上を図ることができる。
Ｃ．化粧パネル、仕上塗装などを施した従来の室内設置型放熱器と違い、美観性の問わない安価な放熱器を使用することができる。
【００２７】
２．１階床下の暖房方法の選択にもよるが、熱交換器以外、機械的複雑なものがなく耐久性が高く、また、メンテナンスが容易である。
３．換気について（２４時間換気とする。）
Ａ．本発明においては、基本的に熱交換器を使用するので換気による熱損失を最小限に抑えることができる。
Ｂ．熱交換後の新鮮な空気は室温より給気温はかなり下がるが、これをセントラル放熱器等で暖められた１階床下に給気し給気温度を上げ、また、２階以上階においては放熱器床下設置パンで更に温度を上げて給気することにより暖房温度の給気となる。
この点、従来不快であった室温と低温の給気温の違いによる室内の温度むらをなくし、また、建物内の温度むらによる結露の発生を防止し、住環境の快適性の向上、さらに、結露を防止することによる建物の耐久性の向上を図ることができる。
Ｃ．新鮮な空気を床下に給気することにより床下の完全換気ができ、湿気による土台、大引など床下木部の腐食を防止し、また、湿気による断熱材の性能低下を防止することにより建物の耐久性の向上を図ることができる。
Ｄ．本発明では基礎断熱、土間工法により基礎内全体がピット状になっており、その基礎内に湿度安定効果、脱臭効果、遠赤外線及びマイナスイオン発生効果のある炭マットを置くことができ、これにより健康住宅等住環境の快適性の向上を図る住宅（建物）の建築を可能にすることができる。
４．暖房効率について
Ａ．基礎断熱、土間工法とその基礎内に暖房設備を施すので、基礎内全体が暖められ、その熱が基礎コンクリートに蓄熱され輻射熱として放出されることにより暖房効率の向上を図ることができる。
Ｂ．２階以上階において、床下で暖房温度にした給気を放熱器床下設置パンに通してさらに給気を暖めることができる。
このため、室内に給気するので暖房効率が良く、２階以上階の放熱器容量を小さなものにすることができるため放熱器のコストダウンを図ることができる。
５．このほか、安価に製造できる、部品点数が少ないので組立が容易である、経済的である、などの効果をも有するものである。
【図面の簡単な説明】
【図１】第１発明の縦断面図である。
【図２】同上の要部拡大分解斜視図である。
【図３】基礎部内の状態を説明する横断面図である。
【図４】小屋裏内の状態を説明する横断面図である。
【図５】第１発明における温水配管状態を中心に説明する縦断面図である。
【図６】第２発明の縦断面図である。
【図７】同上の要部拡大分解斜視図である。
【図８】基礎部内の状態を説明する横断面図である。
【図９】階間における熱交換器などを中心に説明する横断面図である。
【図１０】階間における放熱器床下設置パンなどを中心に説明する横断面図である。
【図１１】小屋裏における汚染空気排出パイプなどを中心に説明する横断面図である。
【図１２】放熱器床下設置パン部分の１部を切欠いた分解斜視図である。
【図１３】同上の中央部における拡大縦断面図である。
【図１４】放熱器床下設置パン部分の他の実施例を示す１部を切欠いた分解斜視図である。
【図１５】同上の中央部における拡大縦断面図である。
【図１６】第２発明における温水配管状態を中心に説明する縦断面図である。
【図１７】第１発明の他の実施例を説明する１部を省略した縦断面図である。
【図１８】同上におけるベタ基礎内の配管状態を説明する平面図である。
【図１９】小屋裏内の状態を説明する横断面図である。
【図２０】第１発明の他の実施例を説明する１部を省略した縦断面図である。
【図２１】同上におけるベタ基礎内の配管状態を説明する平面図である。
【図２２】小屋裏内の状態を説明する横断面図である。
【図２３】第２発明の他の実施例を説明する１部を省略した縦断面図である。
【図２４】同上におけるベタ基礎内の配管状態を説明する平面図である。
【図２５】階間における熱交換器などを中心に説明する横断面図である。
【図２６】第２発明の他の実施例を説明する１部を省略した縦断面図である。
【図２７】同上におけるベタ基礎内の配管状態を説明する平面図である。
【図２８】階間における熱交換器などを中心に説明する横断面図である。
【符号の説明】
１  第１発明の建築物における暖房作用を有する換気システム
１１  建築物                    １Ａ  基礎部
１Ｂ  壁部                      １Ｃ  １階床
１Ｄ  １階天井                  １Ｅ  １階居室
１Ｆ  屋根                      １Ｇ  小屋裏
１Ｈ  換気装置
２  第２発明の建築物における暖房作用を有する換気システム
２２  建築物                    ２Ａ  基礎部
２Ｂ  壁部                      ２Ｃ  １階床
２Ｄ  １階天井                  ２Ｅ  １階居室
２Ｆ  ２階床                    ２Ｇ  階間
２Ｈ  ２階天井                  ２Ｉ  ２階居室
２Ｊ  屋根                      ２Ｋ  小屋裏
２Ｌ  換気装置
【図１】
0003845559.tif 000002
【図２】
0003845559.tif 000003
【図３】
0003845559.tif 000004
【図４】
0003845559.tif 000005
【図５】
0003845559.tif 000006
【図６】
0003845559.tif 000007
【図７】
0003845559.tif 000008
【図８】
0003845559.tif 000009
【図９】
0003845559.tif 000010
【図１０】
0003845559.tif 000011
【図１１】
0003845559.tif 000012
【図１２】
0003845559.tif 000013
【図１３】
0003845559.tif 000014
【図１４】
0003845559.tif 000015
【図１５】
0003845559.tif 000016
【図１６】
0003845559.tif 000017
【図１７】
0003845559.tif 000018
【図１８】
0003845559.tif 000019
【図１９】
0003845559.tif 000020
【図２０】
0003845559.tif 000021
【図２１】
0003845559.tif 000022
【図２２】
0003845559.tif 000023
【図２３】
0003845559.tif 000024
【図２４】
0003845559.tif 000025
【図２５】
0003845559.tif 000026
【図２６】
0003845559.tif 000027
【図２７】
0003845559.tif 000028
【図２８】
0003845559.tif 000029